(57)【要約】      （修正有）【課題】効率的なデータ保護方法の提供。【解決手段】論理ユニット番号（ＬＵＮ）キー領域を設定することと、予め設定されるＬＵＮキー領域中のデータが変更されているとき、データ変更量を取得することと、データ変更量が、予め設定されているしきい値を超えているかどうかを決定することとを含み、データ変更量が、予め設定されているしきい値を超えている場合、スナップショットが生成されるデータ保護装置と、データ保護装置を含む記憶デバイスとを構築する。ＬＵＮ中のいくつかの部分が、ＬＵＮキー領域になるように設定され、定量的な戦略が開始される。すなわち、ＬＵＮキー領域のデータ変更量が、予め設定されているしきい値を超えているときだけ、スナップショットが生成される。キー中のデータが、まったくまたはほとんど変更を有さないとき、スナップショットは生成されず、リソースの浪費が回避される。【選択図】図１
2009266210.tif 000002
【特許請求の範囲】
【請求項１】
データ保護方法において、
予め設定されている論理ユニット番号（ＬＵＮ）キー領域中のデータが変更されているとき、データ変更量を取得することと、
前記データ変更量が、予め設定されているしきい値を超えているかどうかを決定し、前記データ変更量が、前記予め設定されているしきい値を超えている場合、スナップショットを生成することとを含むデータ保護方法。
【請求項２】
前記ＬＵＮキー領域を監視することと、前記予め設定されているＬＵＮキー領域において変更されている前記データの量を計算することにより、前記データ変更量を取得することとをさらに含む請求項１記載のデータ保護方法。
【請求項３】
前記ＬＵＮキー領域を監視することと、前記予め設定されているＬＵＮキー領域において変更されている前記データの量に、現在のデータ変更量を加えることにより、前記データ変更量を取得することとをさらに含む請求項１記載のデータ保護方法。
【請求項４】
前記スナップショットを生成した後に、現在のデータ変更量をゼロに設定することをさらに含む請求項１記載のデータ保護方法。
【請求項５】
前記データ変更量が、前記予め設定されているしきい値を超えていない場合、前記データ変更量になるように現在のデータ変更量を更新することをさらに含む請求項１記載のデータ保護方法。
【請求項６】
前記ＬＵＮキー領域は、予め設定されている論理ブロックアドレス範囲であるか、または、予め設定されているＬＵＮ副領域である請求項１記載のデータ保護方法。
【請求項７】
データ保護装置において、
予め設定されている論理ユニット番号（ＬＵＮ）キー領域中のデータが変更されているとき、データ変更量を取得するように構成されている第１の処理ユニットと、
前記データ変更量が、予め設定されているしきい値を超えているかどうかを決定し、決定結果を送るように構成されている決定ユニットと、
前記データ変更量が、前記予め設定されているしきい値を超えていることを前記決定結果が示すとき、スナップショットを生成するように指示する情報を送信するように構成されている第２の処理ユニットとを具備するデータ保護装置。
【請求項８】
前記第１の処理ユニットは、前記ＬＵＮキー領域を監視し、前記予め設定されているＬＵＮキー領域において変更されている前記データの量を計算することにより、前記データ変更量を取得するようにさらに構成されている請求項７記載のデータ保護装置。
【請求項９】
前記第１の処理ユニットは、前記ＬＵＮキー領域を監視し、前記予め設定されているＬＵＮキー領域において変更されている前記データの量に、現在のデータ変更量を加えることにより、前記データ変更量を取得するようにさらに構成されている請求項７記載のデータ保護装置。
【請求項１０】
前記データ変更量が、前記予め設定されているしきい値を超えていないことを前記決定結果が示すとき、前記データ変更量になるように現在のデータ変更量を更新するように構成されている第３の処理ユニットをさらに具備する請求項７記載のデータ保護装置。
【請求項１１】
前記ＬＵＮキー領域は、予め設定されている論理ブロックアドレス範囲であるか、または、予め設定されているＬＵＮ副領域である請求項７記載のデータ保護装置。
【請求項１２】
記憶デバイスにおいて、
予め設定されている論理ユニット番号（ＬＵＮ）キー領域中のデータが変更されているとき、データ変更量を取得し、前記データ変更量が、予め設定されているしきい値を超えているかどうかを決定し、前記データ変更量が、前記予め設定されているしきい値を超えている場合、スナップショットを生成するように指示する情報を送るように構成されているデータ保護装置と、
データ記憶およびアクセスの空間のためのＬＵＮを基本的なサービスアプリケーションに提供するように構成されているソースＬＵＮと、
前記ソースＬＵＮに対するスナップショットを生成するように構成されているスナップショットユニットとを具備する記憶デバイス。
【請求項１３】
前記データ保護装置は、前記ＬＵＮキー領域を監視し、前記予め設定されているＬＵＮキー領域において変更されている前記データの量を計算することにより、前記データ変更量を取得するようにさらに構成されている請求項１２記載の記憶デバイス。
【請求項１４】
前記データ保護装置は、前記ＬＵＮキー領域を監視し、前記予め設定されているＬＵＮキー領域において変更されている前記データの量に、現在のデータ変更量を加えることにより、前記データ変更量を取得するようにさらに構成されている請求項１２記載の記憶デバイス。
【請求項１５】
前記データ保護装置は、前記データ変更量が、前記予め設定されているしきい値を超えていないことを決定結果が示すとき、前記データ変更量により現在のデータ変更量を更新するようにさらに構成されている請求項１２記載の記憶デバイス。
【請求項１６】
前記ＬＵＮキー領域は、予め設定されている論理ブロックアドレス範囲であるか、または、予め設定されているＬＵＮ副領域である請求項１２記載の記憶デバイス。
【請求項１７】
方法を実行するプロセッサによる実行のために記憶されているコンピュータ使用可能命令を有するコンピュータ読み取り可能媒体において、
前記方法は、
予め設定されている論理ユニット番号（ＬＵＮ）キー領域中のデータが変更されているとき、データ変更量を取得することと、
前記データ変更量が、予め設定されているしきい値を超えているかどうかを決定し、前記データ変更量が、前記予め設定されているしきい値を超えている場合、スナップショットを生成することとを含むコンピュータ読み取り可能媒体。
【発明の詳細な説明】
【発明の分野】
【０００１】
本開示は、データ保護技術の分野に関し、より詳細には、データ保護のための方法、装置および記憶デバイスに関する。
【背景】
【０００２】
さまざまなサービスの発展により、記憶システム中のデータ量は、信じがたいスピードで増加している。サービスの進歩はまた、可用性や、信頼性や、拡張性などの点で、データ処理の技術に対してより高い要求を課し、データセキュリティは特に重要である。
【０００３】
データ保護のために使用される主要な技術は、バックアップおよびスナップショットを作成することである。
【０００４】
ストレージネットワークインダストリアソシエーション（ＳＮＩＡ）にしたがった、スナップショットの定義は、スナップショットとは一時点でのデータオブジェクトのイメージを含む、データオブジェクトの完全に使用可能なコピー、である。
【０００５】
言い換えれば、バックアップを生成すべき、磁気ディスクサブシステムのデータが、ソフトウェアによりスキャンされ、スナップショットの論理ユニット番号（ＬＵＮ）およびスナップショットのキャッシュが、バックアップを生成すべきデータに対して確立される。高速スキャンの間に、バックアップを生成するプロセスにおいて、間もなく修正されるデータブロックもまた、スナップショットキャッシュに直ちにコピーされる。スナップショットＬＵＮは、一群のポインタであり、それらは、スナップショットキャッシュおよび磁気ディスクサブシステムにおける（バックアップを生成するプロセスの間に）不変のデータブロックを示す。通常のサービスが進行している間に、オリジナルデータの完全なバックアップが、スナップショットＬＵＮにより実現される。
【０００６】
現在、主な３つのスナップショット技術があり、それらは、仮想スナップショットと、スプリットイメージと、必要なコピーである。
【０００７】
スナップショット技術は、より短い時間内にオリジナルのＬＵＮデータを取得し、記憶空間をあまり占有せず、リアルタイムの保護に対して比較的成熟した技術である。現在、スナップショット技術が使用される３つの方法がある。第１の方法は、ユーザによる手操作であり、第２の方法は、（ＬＵＮコピーや、リモートイメージのような）他のサービスと一緒にスナップショット技術を使用することであり、第３の方法は、定期的にスナップショットを使用することである。自動的にスナップショットを生成する戦略においては、スナップショットは定期的に生成されるだけであり、すなわち、予め定められた時点においてスナップショットを生成し、指定された時点に対して現時点のスナップショットを発生させる。
【０００８】
本発明を実現するプロセスの間に、発明者は、スナップショットを定期的に生成する現在の方法において、少なくとも次の問題が存在することを見つけている。
【０００９】
戦略が非常に単純化されており、いくつかのケースにおいて制限を有する。例えば、ある期間において、データに対していかなる変更もされていない、またはほとんど変更がされていないというケースにおいてさえ、スナップショットを生成するかもしれず、これは、無駄にリソースを浪費する。
【概要】
【００１０】
本開示の実施形態は、次のように実現される。
【００１１】
データ保護方法は、予め設定されている論理ユニット番号（ＬＵＮ）キー領域におけるデータが変更されているときに、データ変更量を取得することと、データ変更量が、予め設定されているしきい値を超えているかどうかを決定し、データ変更量が、予め設定されているしきい値を超えている場合、スナップショットを生成することとを含む。
【００１２】
さらに、開示されているデータ保護装置は、予め設定されている論理ユニット番号（ＬＵＮ）キー領域におけるデータが変更されているときに、データ変更量を取得するように構成されている第１の処理ユニットと、データ変更量が、予め設定されているしきい値を超えているかどうかを決定し、決定結果を送るように構成されている決定ユニットと、データ変更量が、予め設定されているしきい値を超えていることを決定結果が示すときに、スナップショットを生成するように指示する情報を送信するように構成されている第２の処理ユニットとを含む。
【００１３】
本開示はさらに、データ保護装置を含む記憶デバイスを提供する。
【００１４】
さらに、コンピュータ使用可能命令を有するコンピュータ読み取り可能媒体を開示する。
【図面の簡単な説明】
【００１５】
【図１】図１は、本開示の実施形態にしたがった、データ保護方法を図示するフローチャートである。
【図２】図２は、本開示の実施形態にしたがった、データ保護方法のフローチャートである。
【図３】図３は、本開示の実施形態にしたがった、データ保護方法のフローチャートである。
【図４】図４は、本開示の実施形態にしたがった、データ保護装置のブロック図である。
【図５】図５は、本開示の実施形態にしたがった、データ保護装置のブロック図である。
【図６】図６は、本開示の実施形態にしたがった、記憶デバイスのブロック図である。
【図７】図７は、本開示の実施形態にしたがった、記憶デバイスにおけるデータ保護装置のブロック図である。
【図８】図８は、本開示の実施形態にしたがった、記憶デバイスにおけるデータ保護装置のブロック図である。
【詳細な説明】
【００１６】
図１は、データ保護方法の実施形態を図示する。
【００１７】
特に、データ保護方法の実施形態は、次のプロセスを含む。
【００１８】
ブロックＳ１０１：ＬＵＮキー領域が設定される。
【００１９】
ＬＵＮキー領域の設定は、論理ブロックアドレス（ＬＢＡ）範囲を参照することにより実行してもよい。例えば、ＬＵＮにおけるＬＢＡ範囲の１つ以上のフィールド中の空間が、キー領域になるように設定される。または、Ａ、Ｂ、Ｃ、Ｄ、Ｅ．．．のような副領域にＬＵＮを分割してもよい。Ａ、Ｂ副領域のような１つ以上の副領域が、キー領域になるように設定される。
【００２０】
要求にしたがって、特定の設定をユーザにより実行してもよい。
【００２１】
ブロックＳ１０２：キー領域中のデータが変更されているかどうかが監視される。データが変更されている場合、手続きはステップＳ１０３に進み、さもなければ、手続きは終了する。
【００２２】
監視動作は定期的に実行してもよい。
【００２３】
ブロックＳ１０３：データ変更量が取得される。
【００２４】
ブロックＳ１０４：データ変更量が予め設定されているしきい値を超えているかどうかが決定される。データ変更量が予め設定されているしきい値を超えている場合、手続きはステップＳ１０５に進み、さもなければ、手続きは終了する。
【００２５】
ブロックＳ１０５：スナップショットが生成され、現在のデータ変更量がゼロになるように設定され、手続きは終了する。現在のデータ変更量は、変更動作の前に累算されたデータ変更量を示すように構成されている。
【００２６】
現在のデータ変更量を、予め設定されているアドレスに記憶してもよい。
【００２７】
ステップＳ１０３において取得されるデータ変更量は、累算されたデータ変更量であってもよく、すなわち、書き込み動作が、予め設定されているＬＵＮキー領域に対して実行されるときのデータ変更量の合計、および書き込み動作前の現在のデータ変更量であってもよい。ステップＳ１０３において取得されるデータ変更量はまた、書き込み動作が、予め設定されているＬＵＮキー領域に対して実行されるときのデータ変更量であってもよい。
【００２８】
図２は、データ保護方法の別の実施形態を図示する。
【００２９】
ブロックＳ２０１ないしＳ２０３は、上述したブロックＳ１０１ないしＳ１０３と同じである。
【００３０】
ブロックＳ２０３において取得されるデータ変更量は、キー領域に対してユーザにより実行される書き込み動作によりもたらされる。ユーザによる、キー領域中のデータに対する、追加、削除、または更新のような１つの動作は、データ変更をもたらす。したがって、ユーザが動作を実行するとき、動作がキー領域に対する書き込み動作であるかどうかを決定してもよい。書き込み動作がキー領域中で実現される場合、データ書き込みの量がデータ変更量であることを決定してもよい。
【００３１】
ブロックＳ２０４：データ変更量を現在のデータ変更量に加えることにより、合計が取得される。
【００３２】
現在のデータ変更量を、予め設定されているアドレスに記憶してもよい。
【００３３】
ブロックＳ２０５：合計が、予め設定されているしきい値を超えているかどうかが決定される。合計が、予め設定されているしきい値を超えている場合、手続きはブロックＳ２０６に進み、さもなければ、手続きはブロックＳ２０７に進む。
【００３４】
予め設定されるしきい値は、ユーザの特定の要求にしたがって設定してもよく、いつ何時調整してもよい。
【００３５】
ブロックＳ２０６：スナップショットが生成され、現在のデータ変更量がゼロになるように設定される。手続きは終了する。
【００３６】
ブロックＳ２０７：合計が記録され、現在のデータ変更量を更新するために使用される。手続きは終了する。
【００３７】
現在のデータ変更量は、合計により更新される。更新された後の現在のデータ変更量は、合計に等しい。
【００３８】
予め定められた時点でスナップショットを生成することとは異なり、本開示の実施形態は、定量的な戦略を採用する。すなわち、ＬＵＮキー領域中のデータが監視され、キー領域におけるデータ変更量が、予め設定されているしきい値を超えるとき、スナップショットが自動的に生成される。いかなる動作も実行されない期間中に、または、動作がキー領域外のデータのみを伴う期間中に、すなわち、キー領域中のデータが、まったくまたはほとんど変更を有さないとき、スナップショットは生成されない。それゆえに、スナップショットの数が減少し、リソースの消費が減少し、作業効率が向上する。さらに、スナップショットは、キー領域に非常に関係があり（応答は、キー領域中のデータに対してのみ実施される）、それにより、リソースの使用量が増加する。さらに、決定ロジックが、明瞭であり、簡潔である。
【００３９】
図３は、データ保護方法の別の実施形態を図示する。
【００４０】
時には、ユーザの動作において、キー領域中のデータが著しく変更される。現在のデータ変更量に加えられることなく、データ変更量そのものが、予め設定されているしきい値を超える。このケースにおいて、データ変更量を現在のデータ変更量に加える動作は必要でない。代わりに、スナップショットが直接生成される。
【００４１】
それゆえに、上記の実施形態に基づいて、キー領域のデータ変更量が取得された後に、手続きは、ブロックＳ２０３４に進んでもよい。
【００４２】
ブロックＳ２０３４：データ変更量が、予め設定されているしきい値を超えているかどうかが決定される。データ変更量が、予め設定されているしきい値を超えている場合、手続きは、ブロックＳ２０６に進み、さもなければ、手続きは、ブロックＳ２０４に進む。
【００４３】
上述したすべての実施形態において、ＬＵＮキー領域を予め設定してもよいことに注目すべきである。言い換えれば、ユーザの要求にしたがって、ＬＵＮは、キーＬＵＮと非キーＬＵＮとに分割される。ＬＵＮ全体の代わりに、キーＬＵＮのデータ変更量が監視される。
【００４４】
上述した実施形態の方法を実現するための、すべてのまたは一部のステップは、プログラム命令により指示されるハードウェアにより実現してもよい。プログラムを、コンピュータ読み取り可能媒体中に記憶してもよい。記憶媒体は、読み出し専用メモリ（ＲＯＭ）／ランダムアクセスメモリ（ＲＡＭ）、磁気ディスク、またはコンパクトディスクであってもよい。
【００４５】
本発明の実施形態はまた、データ保護装置を開示する。
【００４６】
図４は、データ保護装置の実施形態を図示する。
【００４７】
データ保護装置は、第１の処理ユニット１１１と、決定ユニット１１２と、第２の処理ユニット１１３とを含む。
【００４８】
データ保護装置の動作手続きおよび動作原理は、次の通りである。
【００４９】
第１の処理ユニット１１１が、予め設定されているＬＵＮキー領域中のデータを監視し、ＬＵＮキー領域中のデータが変更されるとき、データ変更量を取得する。
【００５０】
ＬＢＡ範囲に関するユーザの要求にしたがって、ＬＵＮキー領域をユーザにより設定してもよい。例えば、ＬＵＮにおけるＬＢＡ範囲の、１つのフィールド中の、または、いくつかのフィールド中の空間が、キー領域になるように設定してもよい。または、Ａ、Ｂ、Ｃ、Ｄ、Ｅ、．．．に分割されるように、ＬＵＮを副領域に分割してもよい。副領域Ａ、Ｂのような、ある副領域または副領域のいくつかがキー領域になるように設定してもよい。
【００５１】
予め設定されているＬＵＮキー領域中のデータを、第１の処理ユニット１１１により定期的に監視してもよい。
【００５２】
ユーザによる、キー領域中のデータに対する、追加、削除、または更新のような１つの動作は、データの変更をもたらすかもしれない。それゆえに、ユーザが動作を実行するとき、動作がキー領域に対して実行される書き込み動作であるかどうかを決定してもよい。動作がキー領域に対して実行される書き込み動作である場合、データ変更量を決定する２つの方法がある。
【００５３】
最初の方法は、書き込み動作によりもたらされるデータ変更量を取得し、データ変更量を現在のデータ変更量に加えることであり、その結果がデータ変更量であるように決定される。
【００５４】
別の方法は、時には、ユーザの動作において、キー領域中のデータが著しく変更される場合のものである。現在のデータ変更量に加えられることなく、データ変更量そのものが、予め設定されているしきい値を超える。それゆえに、このケースにおいて、データ変更量は、予め設定されているＬＵＮキー領域に対して実行される書き込み動作によりもたらされるデータ変更量であってもよい。
【００５５】
決定ユニット１１２は、データ変更量が、予め設定されているしきい値を超えているかどうかを決定し、決定結果を送る。予め設定されるしきい値は、ユーザの特定の要求にしたがって設定してもよく、いつ何時調整してもよい。
【００５６】
第２の処理ユニット１１３は、決定結果を受け取り、データ変更量が、予め設定されているしきい値を超えていることを決定結果が示すとき、スナップショットを生成するように指示する情報を送信する。第２の処理ユニット１１３はさらに、現在のデータ変更量をゼロに設定してもよい。現在のデータ変更量を、予め設定されているアドレスに記憶してもよい。第１の処理ユニット１１１により提供されるデータ変更量が、予め設定されているしきい値を超えていることが、決定ユニット１１２により決定されるとき、第２の処理ユニット１１３は、予め設定されているアドレスにおける現在のデータ変更量をゼロになるように設定する。
【００５７】
図５は、データ保護装置のブロック図を示す。
【００５８】
上記の実施形態と比較して、本実施形態は、第３の処理ユニット１１４をさらに含んでいてもよい。第３の処理ユニット１１４は、決定ユニット１１２の決定結果を同様に受け取る。データ変更量が、予め設定されているしきい値を超えていないことを決定結果が示すとき、第３の処理ユニット１１４は、データ変更量により現在のデータ変更量を更新する。更新された現在のデータ変更量は、データ変更量に等しい。
【００５９】
第１の処理ユニット１１１により提供される結果が、予め設定されているしきい値を超えていないことが決定ユニット１１２により決定されるとき、第３の処理ユニット１１４は、予め設定されているアドレスにおける現在のデータ変更量を、データ変更量により更新する。
【００６０】
上述したすべての実施形態において、ＬＵＮキー領域を予め設定してもよいことに注目すべきである。言い換えれば、ユーザの要求にしたがって、ＬＵＮは、キーＬＵＮと非キーＬＵＮとに分割される。ＬＵＮ全体の代わりに、キーＬＵＮのデータ変更量が、第１の処理ユニット１１１により監視される。
【００６１】
定量的な戦略が本発明の実施形態において採用されていることは明白である。すなわち、ＬＵＮキー領域中のデータが、第１の処理ユニット１１１により監視され、データ変更量が取得される。キー領域のデータ変更量が、予め設定されているしきい値を超えているとき、スナップショットを生成することに関する情報が、第２の処理ユニット１１３により送信される。
【００６２】
ユーザが何ら動作を実行しない期間中に、または、ユーザにより実行される動作が、キー領域外のデータだけに関係するとき、すなわち、キー領域中データが、いかなる変更も、またはほとんど変更を有さないケースにおいては、いかなるスナップショットも生成されず、または、より少ないスナップショットが生成されて、リソースの消費が低減し、作業効率が向上する。
【００６３】
さらに、スナップショットは、キー領域に非常に関係があり（応答は、キー領域中のデータに対してのみ実施される）、それゆえに、リソースの使用量が増加する。
【００６４】
さらに、決定ロジックは、明瞭であり、簡潔である。
【００６５】
図６は、記憶デバイスのブロック図を示す。
【００６６】
記憶デバイスは、データ保護装置１００と、スナップショットユニット２００と、ソースＲＵＮ３００とを含む。
【００６７】
ソースＬＵＮ３００は、データ記憶およびアクセスの空間のためのＬＵＮを基本的なサービスアプリケーションに提供する。
【００６８】
スナップショットユニット２００は、ソースＬＵＮ３００に対するスナップショットを生成するように構成されている。
【００６９】
記憶デバイスの動作原理および動作手続きは、次の通りである。
【００７０】
データ保護装置１００が、予め設定されているキー領域のデータを監視し、キー領域中のデータが変更されていることが見つけられるとき、データ変更量を取得する。データ変更量が、予め定められているしきい値を超えているかどうかが決定される。データ変更量が、予め定められているしきい値を超えている場合、スナップショットを生成するように指示する情報が、スナップショットユニット２００に送信される。現在のデータ変更量がさらにゼロになるように設定される。さもなければ、現在のデータ変更量は、データ変更量により更新される。
【００７１】
現在のデータ変更量を、予め設定されているアドレスに記憶してもよい。予め設定されるしきい値は、ユーザの特定の要求にしたがって設定してもよく、いつ何時調整してもよい。
【００７２】
スナップショットユニット２００が、スナップショットを生成するように指示する情報を受信するとき、スナップショットユニット２００は、ソースＬＵＮに対するスナップショットを生成する。
【００７３】
ユーザによる、キー領域中のデータに対する、追加、削除、または更新のような１つの動作は、データ変更をもたらす。それゆえに、ユーザが動作を実行するとき、動作がキー領域に対する書き込み動作であるかどうかを決定してもよい。動作がキー領域に対して実行される書き込み動作である場合、データ変更量を決定する２つの方法がある。
【００７４】
最初の方法は、書き込み動作によりもたらされるデータ変更量を取得し、データ変更量を現在のデータ変更量に加えることであり、その結果がデータ変更量であるように決定される。
【００７５】
別の方法は、時には、ユーザの動作において、キー領域中のデータが著しく変更される場合のものである。動作前の現在のデータ変更量に加えられることなく、データ変更量そのものが、予め設定されているしきい値を超える。それゆえに、この方法において、データ変更量は、予め設定されているＬＵＮキー領域に対して実行される書き込み動作によりもたらされるデータ変更量であってもよい。
【００７６】
図７は、記憶デバイスにおけるデータ保護装置のブロック図を示す。
【００７７】
データ保護装置は、第１の処理ユニット１１１と、決定ユニット１１２と、第２の処理ユニット１１３とを含む。
【００７８】
図８は、記憶デバイスにおけるデータ保護装置のブロック図を示す。
【００７９】
上記の実施形態に基づいて、第３の処理ユニット１１４が、データ保護装置中にさらに含まれていてもよい。第３の処理ユニット１１４は、決定ユニット１１２の決定結果を受け取り、データ変更量が、予め設定されているしきい値を超えていないことを決定結果が示すとき、現在のデータ変更量を、データ変更量により更新する。更新された現在のデータ変更量は、データ変更量に等しい。
【００８０】
上記の２つの実施形態のデータ保護装置の動作手続きおよび動作原理は、すでに前の説明において説明しており、ここでは、再度繰り返して、その説明を記述しない。
【００８１】
上記の開示は、本発明のいくつかの好ましい実施形態にすぎない。開示は、それらに限定されない。本発明の原理から逸脱しない、いかなる変更および修正も、本発明の範囲にすべて該当するだろう。
【図１】
2009266210.tif 000003
【図２】
2009266210.tif 000004
【図３】
2009266210.tif 000005
【図４】
2009266210.tif 000006
【図５】
2009266210.tif 000007
【図６】
2009266210.tif 000008
【図７】
2009266210.tif 000009
【図８】
2009266210.tif 000010
【外国語明細書】
2009266210000001.pdf